(57)【要約】【課題】  表紙材や中紙が曲げられてもＩＣチップを必要以上に曲げてしまうことのないようにする。【解決手段】  表紙１ａ、背表紙１ｂ及び裏表紙１ｃを有して構成される表紙材１と、この表紙材１によってカバーされる中紙部２と、ＩＣチップ９を実装するＩＣチップ実装部４ａ、及びＩＣチップ９に電気的、物理的に接続されるアンテナパターン７を形成するアンテナパターン形成部４ｂとを有し、ＩＣチップ実装部４ａを背表紙１ｂ、アンテナパターン形成部４ｂを背表紙１ｂ以外に位置させて組み込まれるインレット４とを具備してなる。【選択図】      図１
2008290311.tif 000002
【特許請求の範囲】
【請求項１】
表紙、背表紙及び裏表紙を有して構成される表紙材と、
この表紙材によってカバーされる中紙部と、
ＩＣチップを実装するＩＣチップ実装部、及び前記ＩＣチップに電気的、物理的に接続される配線パターンを形成する配線パターン形成部とを有し、前記ＩＣチップ実装部を前記背表紙、前記配線パターン形成部を前記背表紙以外に位置させて組み込まれるフレキシブル基板と
を具備してなることを特徴とする無線通帳類。
【請求項２】
前記配線パターン形成部は、前記表紙、前記裏表紙、或いは前記中紙部のいずれかに配置されることを特徴とする請求項１記載の無線通帳類。
【請求項３】
前記フレキシブル基板はインレットで、前記配線パターンはアンテナパターンであることを特徴とする請求項１記載の無線通帳類。
【請求項４】
前記アンテナパターンは、前記表紙、前記裏表紙、或いは前記中紙部のいずれかに配置されることを特徴とする請求項３記載の無線通帳類。
【発明の詳細な説明】
【技術分野】
【０００１】
本発明は、ＩＣチップを実装するインレットを組み込む無線通帳類に関する。
【背景技術】
【０００２】
この種の無線通帳類としては、例えば、図１１及び図１２に示すようなものが知られている。
【０００３】
この無線通帳類は、表紙材１０１と、この表紙材１０１によってカバーされる中紙部１０２と、インレット１０４とによって構成されている。表紙材１０１は、表紙１０１ａ、背表紙１０１ｂ、裏表紙１０１ｃとによって構成されている。インレット１０４は、アンテナパターン１０７を形成するアンテナ基板１０８と、アンテナ基板１０８上に実装されるＩＣチップ１０９とによって構成されている。このインレット１０４は、中紙部１０２の中紙１０２ａ、１０２ｂ間に組み込まれている。ＩＣチップ１０９にはアンテナパターン１０７が接続され、外部から供給される磁力線はアンテナパターン１０７で受信されて電力に変換される。この変換された電力によりＩＣチップ１０９が動作されてレスポンスが返され、非接触でのデータ通信が可能となる（例えば、特許文献１参照。）。
【特許文献１】特開２００４−２４９４９２号公報
【発明の開示】
【発明が解決しようとする課題】
【０００４】
しかしながら、従来においては、ＩＣチップが中紙１０２ａ、１０２ｂ間に組み込まれていたため、表紙材１０１や中紙１０２ａ、１０２ｂが曲げられると、ＩＣチップ１０９が必要以上に曲げられてしまい破損する虞があった。
【０００５】
本発明は上記事情に着目してなされたもので、その目的とするところは、表紙材や中紙が曲げられてもＩＣチップを必要以上に曲げてしまうことのないようにした無線通帳類を提供することを目的とする。
【課題を解決するための手段】
【０００６】
上記課題を解決するため、請求項１記載のものは、表紙、背表紙及び裏表紙を有して構成される表紙材と、この表紙材によってカバーされる中紙部と、ＩＣチップを実装するＩＣチップ実装部、及び前記ＩＣチップに電気的、物理的に接続される配線パターンを形成する配線パターン形成部とを有し、前記ＩＣチップ実装部を前記背表紙、前記配線パターン形成部を前記背表紙以外に位置させて組み込まれるフレキシブル基板とを具備してなることを特徴とする。
【発明の効果】
【０００７】
本発明によれば、ＩＣチップの曲げを規制し、その破損を確実に防止することができる。
【発明を実施するための最良の形態】
【０００８】
以下、本発明の実施の形態を図面を参照して詳細に説明する。  
図１は、本発明の一実施の形態である無線通帳類の表紙材を開いた状態を示す正面図で、図２はその斜視図である。
【０００９】
無線通帳類は、表紙材１と、この表紙材１によってカバーされる中紙部２と、見返し（きき紙）３ａ，３ｂと、インレット４（フレキシブル基板）とによって構成されている。表紙材１は、表紙１ａ、背表紙１ｂ、裏表紙１ｃとによって構成されている。見返し（きき紙）３ａは、表紙１ａの内面側に接着されている。また、インレット４の後述するＩＣ実装部４ａを除く部分（配線パターン形成部／アンテナパターン形成部）４ｂ、及び見返し（きき紙）３ｂは裏表紙１ｃの内面側に接着されている。
【００１０】
図３は、インレット４を示す構成図である。
【００１１】
インレット４はアンテナ基板８を有し、このアンテナ基板８はアンテナパターン（配線パターン）７を形成するアンテナパターン形成部（配線パターン形成部）４ｂとＩＣチップ９を実装するＩＣチップ実装部４ａとを有して構成されている。ＩＣチップ９には、図４の等価回路にも示すようにアンテナパターン７が接続され、外部から供給される磁力線はアンテナパターン７で受信されて電力に変換される。この変換された電力によりＩＣチップ９が動作されてレスポンスが返され、非接触でのデータ通信が可能となる。
【００１２】
次に、無線通帳類の製造方法について説明する。
【００１３】
まず、図５に示すようにステージ１１上に例えばＰＥＴ−Ｇ１２ａを載置し、ついで、インレット４を載置する。このとき、インレット４のＩＣチップ実装部４ａをＰＥＴ−Ｇ１２ａ上に載置する。この載置後、インレット４のＩＣチップ実装部４ａ上にさらにＰＥＴ−Ｇ１２ｂを載置する。この載置後、熱プレス１４を下降させてＰＥＴ−Ｇ１２ａ、１２ｂを加圧するとともに加熱して図６に示すようにシート化する。
【００１４】
なお、このシート化部分１２の巾寸法は、背表紙１ｂの巾寸法以上に大きくしてはならず、また、ＰＥＴ−Ｇとしては、無線通帳類が開いたときの背表紙１ｂの曲げにＩＣチップ９が耐え得るものを使用する。
【００１５】
ＰＥＴ−Ｇをシート化したのちは、図７〜図９に示すように、無線通帳類の背表紙１ｂの内面側にインレット４のシート化部分１２を接着剤で貼り付けるとともに、裏表紙１ｃの内面側にインレット４のシート化部分１２以外の部分、即ち、アンテナパターン形成部４ｂを接着剤によって貼り付ける。
【００１６】
こののち、図１に示すように、背表紙１ｂの内面側にインレット４のシート化部分１２を介して中紙部２を接着剤で貼り付け、ついで、見返し（きき紙）３ａを表紙１ａの内面側に接着剤によって貼り付け、さらに、見返し（きき紙）３ｂをインレット４の内面側に接着剤により貼り付けて無線通帳類の製造を終える。
【００１７】
上記したように、この実施の形態によれば、無線通帳類の背表紙１ｂの内面側にインレット４のＩＣチップ実装部４ａを設けるため、無線通帳類が開かれたときの背表紙１ｂの曲げ量が表紙１ａや裏表紙１ｃの曲げ量に比較して少ないことから、図１０に示すようにＩＣチップ９の曲げ量を制限でき、ＩＣチップ９の破損などを確実に防止することが可能となる。
【００１８】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００１９】
【図１】本発明の一実施の形態である無線通帳類の表紙材を開いた状態を示す正面図。
【図２】図１の無線通帳類を示す斜視図。
【図３】図１の無線通帳類のインレットを示す平面図。
【図４】図３のインレットの等価回路図。
【図５】図３のインレットのＩＣチップ実装部をシート化する方法を示す図。
【図６】図５の方法によりＩＣチップ実装部がシート化されたインレットを示す斜視図。
【図７】図６のインレットが表紙材に接着された状態を示す平面図。
【図８】図７のインレット及び表紙材を示す正面図。
【図９】図７のインレット及び表紙材を示す斜視図。
【図１０】図１の無線通帳類が開かれたときのＩＣチップの曲がり状態を示す図。
【図１１】従来における無線通帳類のインレットの組み込み状態を示す平面図。
【図１２】図１１のインレットを組み込んだ無線通帳類を示す正面図。
【符号の説明】
【００２０】
１…表紙材、１ａ…表紙、１ｂ…背表紙、１ｃ…裏表紙、２…中紙部、４…インレット（フレキシブル基板）、４ａ…ＩＣチップ実装部、４ｂ…アンテナパターン形成部（配線パターン形成部）、７…アンテナパターン（配線パターン）、９…ＩＣチップ。
【図１】
2008290311.tif 000003
【図２】
2008290311.tif 000004
【図３】
2008290311.tif 000005
【図４】
2008290311.tif 000006
【図５】
2008290311.tif 000007
【図６】
2008290311.tif 000008
【図７】
2008290311.tif 000009
【図８】
2008290311.tif 000010
【図９】
2008290311.tif 000011
【図１０】
2008290311.tif 000012
【図１１】
2008290311.tif 000013
【図１２】
2008290311.tif 000014